(57)【要約】【課題】操作者による簡易な操作によって、各地域における標準電波を適切に定時受信し、時刻を修正すること。【解決手段】所定地域の時刻への変更指示を受け付け、時刻を変更する時刻変更部１０１と、現地時刻またはＵＴＣ時刻を計時する計時部１０５と、所定地域に関する情報の入力を受け付ける所定地域情報入力部１０９と、時刻変更部１０１によって変更された時刻に基づき、あるいは、所定地域情報入力部１０９により入力された所定地域に関する情報と、計時部１０５により計時された時刻とに基づき、所定地域における標準電波の受信時刻を決定する受信時刻決定部１０２と、受信時刻決定部１０２により決定された受信時刻に標準電波を受信する標準電波受信部１０３と、標準電波受信部１０３により受信された標準電波にかかる標準時刻情報信号に基づき、時刻を修正する時刻修正部１０４を備える。【選択図】        図１
2006038800.tif 000002
【特許請求の範囲】
【請求項１】
所定地域の時刻への変更指示を受け付け、時刻を変更する時刻変更手段と、
前記時刻変更手段によって変更された時刻に基づいて、前記所定地域における標準電波の受信時刻を決定する決定手段と、
前記決定手段によって決定された受信時刻に前記標準電波を受信する受信手段と、
前記受信手段によって受信された前記標準電波にかかる標準時刻情報信号に基づいて、時刻を修正する時刻修正手段と、
を備えたことを特徴とする電波修正時計。
【請求項２】
前記決定手段は、
前記時刻変更手段によって変更された時刻に基づいて、前記所定地域を特定する特定手段を備え、
前記特定手段によって特定された所定地域の情報に基づいて、前記所定地域における標準電波の受信時刻を決定することを特徴とする請求項１に記載の電波修正時計。
【請求項３】
前記時刻変更手段によって変更された時刻を、前記所定地域における現地時刻として計時する計時手段を備えたことを特徴とする請求項１または２に記載の電波修正時計。
【請求項４】
現地時刻またはＵＴＣ時刻を計時する計時手段と、
所定地域に関する情報の入力を受け付ける所定地域情報入力手段と、
前記所定地域情報入力手段によって入力された所定地域に関する情報と、前記計時手段によって計時された時刻とに基づいて、前記所定地域における標準電波の受信時刻を決定する決定手段と、
前記決定手段によって決定された受信時刻に前記標準電波を受信する受信手段と、
前記受信手段によって受信された前記標準電波にかかる標準時刻情報信号に基づいて、時刻を修正する時刻修正手段と、
を備えたことを特徴とする電波修正時計。
【請求項５】
前記決定手段は、
前記計時手段によって計時された時刻に基づいて、前記所定地域情報入力手段によって入力された所定地域における現地時刻を算出する算出手段を備え、
前記算出手段によって算出された時刻に基づいて、前記所定地域における標準電波の受信時刻を決定することを特徴とする請求項４に記載の電波修正時計。
【請求項６】
さらに、前記算出手段によって算出された現地時刻に基づいて計時時刻を変更する時刻変更手段と、
前記時刻変更手段によって変更された計時時刻を表示する表示手段と、
を備えたことを特徴とする請求項５に記載の電波修正時計。
【請求項７】
前記計時手段は、前記算出手段によって算出された現地時刻を計時することを特徴とする請求項５または６に記載の電波修正時計。
【請求項８】
前記所定地域における標準電波の受信時刻に関する情報を記憶する受信時刻記憶手段を備え、
前記決定手段は、前記受信時刻記憶手段に記憶された情報に基づいて、前記所定地域における標準電波の受信時刻を決定することを特徴とする請求項１〜７のいずれか一つに記載の電波修正時計。
【請求項９】
前記受信時刻記憶手段に記憶された情報を変更、追加または削除する変更手段を備えたことを特徴とする請求項８に記載の電波修正時計。
【請求項１０】
請求項１〜９のいずれか一つに記載の電波修正時計を備えたことを特徴とする電子機器。
【請求項１１】
所定地域の時刻への変更指示を受け付け、時刻を変更する時刻変更工程と、
前記時刻変更工程によって変更された時刻に基づいて、前記所定地域における標準電波の受信時刻を決定する決定工程と、
前記決定工程によって決定された受信時刻に前記標準電波を受信する受信工程と、
前記受信工程によって受信された標準電波にかかる標準時刻情報信号に基づいて、時刻を修正する時刻修正工程と、
を含んだことを特徴とする時刻修正方法。
【請求項１２】
所定地域に関する情報の入力を受け付ける所定地域情報入力工程と、
前記所定地域情報入力工程によって入力された所定地域に関する情報と、現地時刻またはＵＴＣ時刻とに基づいて、前記所定地域における標準電波の受信時刻を決定する決定工程と、
前記決定工程によって決定された受信時刻に前記標準電波を受信する受信工程と、
前記受信工程によって受信された標準電波にかかる標準時刻情報信号に基づいて、時刻を修正する時刻修正工程と、
を含んだことを特徴とする時刻修正方法。
【発明の詳細な説明】
【技術分野】
【０００１】
この発明は、標準時刻情報信号を含む標準電波を受信し、受信した標準電波にかかる標準時刻情報信号に基づいて、時刻を修正する電波修正時計、電子機器および時刻修正方法に関する。
【背景技術】
【０００２】
従来、電波修正時計において、時刻を修正する場合に、あらかじめ定められた所定の時刻に標準電波を受信する。そして、より確実に標準電波を受信できるように、最適な受信時刻を設定する必要がある（たとえば特許文献１参照。）。特に、腕時計の場合は、消費電力を考慮すると頻繁には標準電波を受信できないので、より確実に標準電波を受信できる時間帯、具体的には、たとえば、環境からのノイズが少なく、かつ、通常、腕時計を装着していないことが想定される深夜（たとえば、午前２時から午前４時）に受信時刻を設定されるのが一般的である。これは日本だけでなく、電波修正が可能な外国においても同様である。
【０００３】
【特許文献１】特開平６−２８９１５６号公報
【発明の開示】
【発明が解決しようとする課題】
【０００４】
しかしながら、上記従来技術にあっては、操作者は、所定の地域（外国）へ移動するごとに、表示時刻を変更するとともに、受信局の切り換え操作をおこない、必要に応じて、受信時刻の設定をおこなわなければならない。これらの操作は、操作者にとっては煩雑であり、上記移動にともなう操作を忘れてしまうことによって、当該地域において適切に時刻の修正がなされず、電波修正時計の機能を十分発揮させることができないという問題があった。
【０００５】
また、地域によっては、標準電波を受信できる時間帯が限られている場合が想定され、その場合に、操作者は確実に標準電波を受信できる時刻に設定するのが極めて困難であるという問題点があった。
【０００６】
この発明は、上述した従来技術による問題点を解消するため、操作者による簡易な操作によって、各地域における標準電波を適切に定時受信し、時刻を修正することが可能な電波修正時計、電子機器および時刻修正方法を提供することを目的とする。
【課題を解決するための手段】
【０００７】
上述した課題を解決し、目的を達成するため、この発明にかかる電波修正時計は、所定地域の時刻への変更指示を受け付け、時刻を変更する時刻変更手段と、前記時刻変更手段によって変更された時刻に基づいて、前記所定地域における標準電波の受信時刻を決定する決定手段と、前記決定手段によって決定された受信時刻に前記標準電波を受信する受信手段と、前記受信手段によって受信された前記標準電波にかかる標準時刻情報信号に基づいて、時刻を修正する時刻修正手段と、を備えたことを特徴とする。
【０００８】
また、この発明にかかる電波修正時計は、上記発明において、前記決定手段が、前記時刻変更手段によって変更された時刻に基づいて、前記所定地域を特定する特定手段を備え、前記特定手段によって特定された所定地域の情報に基づいて、前記所定地域における標準電波の受信時刻を決定するようにしてもよい。また、前記時刻変更手段によって変更された時刻を、前記所定地域における現地時刻として計時する計時手段を備えていてもよい。
【０００９】
また、この発明にかかる電波修正時計は、現地時刻またはＵＴＣ時刻を計時する計時手段と、所定地域に関する情報の入力を受け付ける所定地域情報入力手段と、前記所定地域情報入力手段によって入力された所定地域に関する情報と、前記計時手段によって計時された時刻とに基づいて、前記所定地域における標準電波の受信時刻を決定する決定手段と、前記決定手段によって決定された受信時刻に前記標準電波を受信する受信手段と、前記受信手段によって受信された前記標準電波にかかる標準時刻情報信号に基づいて、時刻を修正する時刻修正手段と、を備えたことを特徴とする。
【００１０】
また、この発明にかかる電波修正時計は、上記発明において、前記決定手段が、前記計時手段によって計時された時刻に基づいて、前記所定地域情報入力手段によって入力された所定地域における現地時刻を算出する算出手段を備え、前記算出手段によって算出された時刻に基づいて、前記所定地域における標準電波の受信時刻を決定するようにしてもよい。さらに、前記算出手段によって算出された現地時刻に基づいて計時時刻を変更する時刻変更手段と、前記時刻変更手段によって変更された計時時刻を表示する表示手段と、を備えていてもよい。また、前記計時手段が、前記算出手段によって算出された現地時刻を計時するようにしてもよい。
【００１１】
また、この発明にかかる電波修正時計は、上記発明において、前記所定地域における標準電波の受信時刻に関する情報を記憶する受信時刻記憶手段を備え、前記決定手段は、前記受信時刻記憶手段に記憶された情報に基づいて、前記所定地域における標準電波の受信時刻を決定することを特徴とする。また、前記受信時刻記憶手段に記憶された情報を変更、追加または削除する変更手段を備えていてもよい。
【００１２】
また、この発明にかかる電子機器は、上記発明にかかる電波修正時計を備えたことを特徴とする。
【００１３】
また、この発明にかかる時刻修正方法は、所定地域の時刻への変更指示を受け付け、時刻を変更する時刻変更工程と、前記時刻変更工程によって変更された時刻に基づいて、前記所定地域における標準電波の受信時刻を決定する決定工程と、前記決定工程によって決定された受信時刻に前記標準電波を受信する受信工程と、前記受信工程によって受信された標準電波にかかる標準時刻情報信号に基づいて、時刻を修正する時刻修正工程と、を含んだことを特徴とする。
【００１４】
また、この発明にかかる時刻修正方法は、所定地域に関する情報の入力を受け付ける所定地域情報入力工程と、前記所定地域情報入力工程によって入力された所定地域に関する情報と、現地時刻またはＵＴＣ時刻とに基づいて、前記所定地域における標準電波の受信時刻を決定する決定工程と、前記決定工程によって決定された受信時刻に前記標準電波を受信する受信工程と、前記受信工程によって受信された標準電波にかかる標準時刻情報信号に基づいて、時刻を修正する時刻修正工程と、を含んだことを特徴とする。
【発明の効果】
【００１５】
本発明によれば、操作者の意志を反映した定時受信をおこなうことが可能な電波修正時計、電子機器、時刻修正方法、時刻修正プログラムが得られるという効果を奏する。
【発明を実施するための最良の形態】
【００１６】
以下に添付図面を参照して、この発明にかかる電波修正時計、電子機器、時刻修正方法、時刻修正プログラムの好適な実施の形態を詳細に説明する。
【００１７】
（電波修正時計の機能的構成）
まず、電波修正時計の機能的構成について説明する。図１は、この発明の本実施の形態にかかる電波修正時計の機能的構成を示す説明図である。図１において、電波修正時計は、時刻変更部１０１と、受信時刻決定部１０２と、標準電波受信部１０３と、時刻修正部１０４と、計時部１０５と、表示部１０６と、受信時刻記憶部１０７と、変更部１０８と、所定地域情報入力部１０９と、を含む構成となっている。また、受信時刻決定部１０２は、所定地域特定部１１１と、現地時刻算出部１１２と、を備えている。
【００１８】
ここで、時刻変更部１０１は、操作者からの所定地域の時刻への変更指示を受け付け、受け付けられた変更指示にしたがって、時刻（たとえば、計時部１０５によって計時されている時刻あるいは表示部１０６に表示されている時刻）を変更する。たとえば、時刻変更部１０１は、日本時刻を計時している（日本の標準電波を受信して、時刻を修正している）電波修正時計において、１時間遅らせるような変更時刻（すなわち、たとえば中国における時刻の変更）を受け付けることができる。
【００１９】
受信時刻決定部１０２は、時刻変更部１０１によって変更された時刻に基づいて、上記所定地域における標準電波の受信時刻、すなわち標準電波の受信を開始する受信開始時刻を決定する。具体的には、たとえば、受信時刻決定部１０２は、所定地域特定部１１１において、時刻変更部１０１によって変更された時刻に基づいて上記所定地域を特定する。そして、所定地域特定部１１１によって特定された所定地域の情報に基づいて、上記所定地域における標準電波の受信時刻を決定するようにしてもよい。
【００２０】
また、受信時刻記憶部１０７には、上記所定地域における標準電波の受信時刻に関する情報を記憶しており、受信時刻決定部１０２は、受信時刻記憶部１０７に記憶された情報に基づいて、上記所定地域における標準電波の受信時刻を決定するようにしてもよい。また、変更部１０８は、たとえば、操作者からの指示に基づいて、あるいは、標準電波の受信状況に基づいて、受信時刻記憶部１０７に記憶された情報を変更、追加または削除することができる。したがって、上記所定地域における標準電波の受信時刻を最適化するため、あるいは操作者の要求に応じて、所定地域における標準電波の受信時刻に関する情報を変更、追加または削除することができる。
【００２１】
たとえば、操作者によって１時間遅らせるような変更時刻があった場合、日本よりも−１時間の時差がある地域を所定地域（たとえば中国）として特定する。そして、受信時刻記憶部１０７にあらかじめ所定地域（国）ごとに記憶されている情報に基づいて、中国における標準電波の受信時刻（たとえば、中国時刻で午前３時など）を決定する。さらに、その受信時刻を変更する（午前３時の受信を午前４時の受信に変更する）ことができる。また、その受信時刻を追加する（毎日、午前３時に１回受信するものを午前３時と午前４時の２回受信するようにする）ことができる。また、その受信時刻を削除する（すでに登録されていた午前３時の受信をおこなわないようにする）ことができる。
【００２２】
標準電波受信部１０３は、受信時刻決定部１０２によって決定された受信時刻に上記標準電波を受信する。また、時刻修正部１０４は、標準電波受信部１０３によって受信された上記標準電波にかかる標準時刻情報信号に基づいて、時刻を修正する。
【００２３】
計時部１０５は、現地時刻またはＵＴＣ時刻を計時する。また、計時部１０５は、時刻変更部１０１によって変更された時刻を、上記所定地域における現地時刻として計時する。そして、表示部１０６は、計時部１０５によって計時された時刻を表示する。
【００２４】
所定地域情報入力部１０９は、所定地域に関する情報の入力を受け付ける。所定地域に関する情報とは、たとえば、「東京（日本）」、「ニューヨーク（米国）」、「北京（中国）」といった都市名（あるいは国名）に関する情報である。具体的には、所定地域名（都市名など）、あるいはそれらの所定地域名の略称（たとえば「ＪＰＮ」、「ＵＳＡ」）が文字板に記載されており、操作者は、所望の所定地域名を針で示すように操作する。ディジタル時計の場合は、操作者による所定の操作により、所定地域名が順次表示され、操作者は表示されている所定地域名を選択指示するようにしてもよい。
【００２５】
そして、受信時刻決定部１０２は、所定地域情報入力部１０９によって入力された所定地域に関する情報と、計時部１０５によって計時された時刻とに基づいて、上記所定地域における標準電波の受信時刻を決定する。
【００２６】
具体的には、たとえば、受信時刻決定部１０２において、現地時刻算出部１１２が計時部１０５によって計時された時刻に基づいて、前記所定地域情報入力部１０９によって入力された所定地域における現地時刻を算出する。そして、受信時刻決定部１０２は、現地時刻算出部１１２によって算出された時刻に基づいて、上記所定地域における標準電波の受信時刻を決定する。また、計時部１０５は、現地時刻算出部１１２によって算出された時刻を計時する。
【００２７】
時刻変更部１０１は、現地時刻算出部１１２によって算出された現地時刻に基づいて計時時刻を変更する。そして、表示部１０６は、時刻変更部１０１によって変更された計時時刻を表示する。
【００２８】
（時刻修正方法の処理の内容）
つぎに、この発明の本実施の形態にかかる時刻修正方法の処理の内容について説明する。図２は、この発明の本実施の形態にかかる時刻修正方法の処理の手順を示すフローチャートである。
【００２９】
図２のフローチャートにおいて、まず、所定地域の時刻への変更指示があったか否かを判断する（ステップＳ２０１）。所定地域の時刻への変更指示があったか否かの判断は、具体的には、たとえば、操作者による所定の操作ボタンの所定の操作（分針または時針の変更など）があったか否かによって判断する。
【００３０】
ここで、所定地域の時刻への変更指示がなかった場合（ステップＳ２０１：Ｎｏ）は、ステップＳ２０５へ移行する。一方、所定地域の時刻への変更指示があった場合（ステップＳ２０１：Ｙｅｓ）は、まず、計時時刻を変更指示があった時刻へ変更する（ステップＳ２０２）。そして、変更指示があった時刻に基づいて、所定地域を特定する（ステップＳ２０３）。その後、標準電波の受信時刻を決定し（ステップＳ２０４）、ステップＳ２０５へ移行する。
【００３１】
つぎに、所定時刻、標準電波の受信時刻になったか否かを判断し（ステップＳ２０５）、いまだ所定時刻になっていない場合（ステップＳ２０５：Ｎｏ）は、ステップＳ２０１へ戻る。一方、所定時刻になった場合（ステップＳ２０５：Ｙｅｓ）は、標準電波の受信処理をおこなう（ステップＳ２０６）。ここで、受信に成功したか否かを判断し（ステップＳ２０７）、受信に失敗した場合（ステップＳ２０７：Ｎｏ）は、何もせずに、ステップＳ２０１へ戻る。
【００３２】
ステップＳ２０７において、受信に成功した場合（ステップＳ２０７：Ｙｅｓ）は、計時時刻を修正する（ステップＳ２０８）とともに、表示時刻を修正し（ステップＳ２０９）、その後、ステップＳ２０１へ戻る。以後、ステップＳ２０１〜Ｓ２０９の各処理を繰り返しおこなう。
【００３３】
また、図３は、この発明の本実施の形態にかかる別の時刻修正方法の処理の手順を示すフローチャートである。
【００３４】
図３のフローチャートにおいて、まず、所定地域に関する情報の入力があったか否かを判断する（ステップＳ３０１）。所定地域に関する情報の入力があったか否かの判断は、具体的には、たとえば、操作者による所定の操作ボタンの所定の操作があったか否かによって判断する。
【００３５】
ここで、所定地域に関する情報の入力がなかった場合（ステップＳ３０１：Ｎｏ）は、ステップＳ３０６へ移行する。一方、所定地域に関する情報の入力があった場合（ステップＳ３０１：Ｙｅｓ）は、まず、上記所定地域における現地時刻を算出する（ステップＳ３０２）。そして、計時時刻を上記所定地域における現地時刻に変更する（ステップＳ３０３）とともに、表示時刻を上記所定地域における現地時刻に変更する（ステップＳ３０４）。その後、標準電波の受信時刻を決定し（ステップＳ３０５）、ステップＳ３０６へ移行する。
【００３６】
以後は図２のフローチャートと同様に、所定時刻、標準電波の受信時刻になったか否かを判断し（ステップＳ３０６）、いまだ所定時刻になっていない場合（ステップＳ３０６：Ｎｏ）は、ステップＳ３０１へ戻る。一方、所定時刻になった場合（ステップＳ３０６：Ｙｅｓ）は、標準電波の受信処理をおこなう（ステップＳ３０７）。ここで、受信に成功したか否かを判断し（ステップＳ３０８）、受信に失敗した場合（ステップＳ３０８：Ｎｏ）は、何もせずに、ステップＳ３０１へ戻る。
【００３７】
ステップＳ３０８において、受信に成功した場合（ステップＳ３０８：Ｙｅｓ）は、計時時刻を修正する（ステップＳ３０９）とともに、表示時刻を修正し（ステップＳ３１０）、その後、ステップＳ３０１へ戻る。以後、ステップＳ３０１〜Ｓ３１０の各処理を繰り返しおこなう。
【実施例】
【００３８】
（電波修正時計のハードウエア構成）
つぎに、実施例にかかる電波修正時計のハードウエア構成について説明する。図４は、この発明の実施例にかかる電波修正時計のハードウエア構成を示すブロック図である。
【００３９】
図４において、標準時刻情報信号を含む標準電波を受信して、標準時刻情報信号に基づいて時刻修正をおこなうように構成された電波修正時計４００は、少なくとも演算制御部４０１と、アンテナ４０２と、受信局切換回路４０４および受信回路４０５を備えた受信部４０３と、コード判定部４０６と、受信状況判定部４０７と、受信局選択部４０８と、駆動部４０９と、基準信号発生部４１０と、カウンタ部４１１と、表示駆動部４１２と、表示部４１３と、外部入力部４１４と、制御プログラム記憶部（ＲＯＭ）４１５と、制御情報記憶部（ＲＡＭ）４１６と、を備えている。
【００４０】
そして、たとえば演算制御部４０１が制御プログラム記憶部４１５に記憶されたプログラムを実行することによって、図１に示した時刻変更部１０１、受信時刻決定部１０２、時刻修正部１０４、計時部１０５および変更部１０８の各機能を実現し、受信部４０３によって、図１に示した標準電波受信部１０３の機能を最終的に実現する。また、外部入力部４１４によって、図１に示した所定地域情報入力部１０９の機能を実現する。
【００４１】
また、制御情報記憶部（ＲＡＭ）４１６は、受信データ記憶部４２１と、計時データ記憶部４２２と、受信状況記憶部４２３と、受信履歴記憶部４２４と、強制受信局記憶部４２５と、定時受信局記憶部４２６と、地域データ記憶部４２７と、を含んでいる。
【００４２】
ここで、演算制御部４０１は、ＣＰＵなどによって構成され、電波修正時計４００の全体を制御する。また、演算制御部４０１は、計時データ記憶部４２２の駆動状態を制御するほか、各種の構成部を個別に演算制御をする。また、アンテナ４０２は、時刻情報を含む標準電波を受信する。また、受信部４０３のうち、受信局切換回路４０４は、受信局選択部４０８からの受信局を選択制御する信号を入力して、受信局を切り換える。また、受信回路４０５は、アンテナ４０２によって受信された標準電波を増幅し、フィルタ回路、整流回路、検波回路などの処理によって復調をおこなう。
【００４３】
コード判定部４０６は、受信部４０３によって受信された時刻情報を含む標準電波から所定の情報を抽出する。また、受信状況判定部４０７は、受信部４０３からの出力を入力して受信状況、すなわち受信信号の「信頼性あり」を判定し、その判定結果を演算制御部４０１に出力する。
【００４４】
受信局選択部４０８は、外部入力部４１４からの入力情報などに基づいて、強制受信局記憶部４２５または定時受信局記憶部４２６に記憶された受信局の中から当該標準電波を受信するための受信局に関する情報を抽出し、演算制御部４０１からの制御に基づいて受信局を選択制御する信号を受信局切換回路４０４へ出力する。
【００４５】
駆動部４０９は、演算制御部４０１からの信号に基づいて、受信部４０３による受信処理駆動する。また、基準信号発生部４１０は、たとえば発振回路から構成され、計時処理の基準となる所定の周波数を有する信号を発生する。また、カウンタ部４１１は、基準信号発生部４１０から発生される所定の周波数を有する基準信号を適宜の分周回路などを介して所定の周波数、たとえば本具体例では１Ｈｚの演算制御部４０１をホールトリリースするためのホールトリリース信号を作成し、作成されたホールトリリース信号を演算制御部４０１に対して出力する。
【００４６】
表示駆動部４１２は、表示部４１３を駆動して時刻修正結果を表示させる。また、表示部４１３は、現在時刻、日付や曜日などのカレンダ情報および電波受信状況に関する情報などを表示する。表示部４１３は、表示手段、すなわち図１に示した表示部１０６としての機能を実現する。表示部４１３の具体的な内容についての詳細については、後述する図において説明する。
【００４７】
外部入力部４１４は、操作者の操作指示を入力する。具体的には、ボタンや竜頭などである。また、制御プログラム記憶部４１５は、一般的にはＲＯＭで構成されており、各種の制御プログラムを記憶している。所定地域の時刻への変更操作や所定地域情報の入力も、外部入力部４１４の操作によっておこなわれる。
【００４８】
制御情報記憶部（ＲＡＭ）４１６において、受信データ記憶部４２１は、コード判定部４０６によって判定された受信データを記憶する。具体的には「０」「１」「Ｐ」信号を所定ビット（たとえば「Ｐ」信号が連続して出現してから６０×ｎビット分（ｎ＝１，２，・・・））を記憶する。
【００４９】
また、計時データ記憶部４２２は、演算制御部４０１から出力される時刻情報あるいはカレンダ情報、すなわち受信した標準電波により修正された計時データを記憶する。この計時データは現在地の時刻に関するものでもよく、またＵＴＣ時刻に関するものでもよい。ＵＴＣ時刻に関するものである場合は、さらに、ＵＴＣ時刻と現在地の時刻との時差に関する情報もあわせて記憶する。
【００５０】
また、受信状況記憶部４２３は、受信状況判定部４０７によって判定された電波の受信状況に関する情報を記憶する。具体的には、「Ｈ（信頼性高）」「Ｍ（信頼性中）」「Ｌ（信頼性低）」「ＮＧ（信頼性なし）」などの種類の情報およびその時刻情報である。
【００５１】
また、受信履歴記憶部４２４は、標準電波の受信に際して、受信されたすべての標準電波に関するデータ、たとえば、受信局、受信周波数、受信時刻、受信状態（電界強度）、受信成功か否かなどの受信履歴情報を記憶する。
【００５２】
また、強制受信局記憶部４２５は、一つまたは複数の強制受信をおこなう受信局に関する情報、たとえば標準電波の周波数、コードパターンなどに関する情報を記憶する。上述のように、複数種類の強制受信がある場合は、それぞれ記憶する。また、定時受信局記憶部４２６は、複数の定時受信をおこなう受信局に関する情報、たとえば標準電波の周波数、コードパターンなどに関する情報を記憶する。
【００５３】
また、地域データ記憶部４２７は、地域、受信局および受信開始時刻などに関する情報（地域データ）を記憶する。この地域データ記憶部４２７によって受信時刻記憶部１０７の機能を実現する。地域データ記憶部４２７についての詳細は後述する（図５参照。）。
【００５４】
このような構成において、演算制御部４０１は、ＣＰＵのホールト状態が解除され、ＲＯＭで構成されている制御プログラム記憶部４１５に記憶されている所定の制御プログラムによって、制御情報記憶部（ＲＡＭ）４１６の中の時刻カレンダデータを計数する計時データ記憶部４２２のデータを１秒毎に秒データをインクリメントする。また、演算制御部４０１は、必要に応じて分データ、時データ、日データなどのカレンダデータもキャリー処理によって時刻（カレンダ）のデータを計数する。１秒毎に変更された後の計時データ記憶部４２２の所定の時刻情報あるいはさらにカレンダ情報を表示部４１３に表示する。そして、定時受信は、計時データ記憶部４２２が所定の計時情報値となったときに動作する。また、強制受信は、外部入力部４１４の操作によって動作する。
【００５５】
制御プログラム記憶部４１５に記憶されている各種の制御プログラムを利用して当該演算制御部４０１が各種の制御情報を記憶している当該制御情報記憶部（ＲＡＭ）４１６のデータを使用して所定の演算処理をおこない、電波修正時計４００の各種の構成部を駆動制御するように構成されている例を示したが、本発明はこのような具体例の構成に限定されるものではなく、ＣＰＵを使わないランダムロジックの構成にて同一の機能を実現することができる。
【００５６】
（受信動作の内容）
つぎに受信動作に関して説明する。受信され取り込まれた受信信号は、受信状況判定部４０７において、受信され取り込まれた受信信号の信頼性があるか否かを判定し、「信頼性あり」と判定された場合に受信信号のデータをコード判定部４０６、演算制御部４０１を介して時刻カレンダデータとして受信データ記憶部４２１に記憶する。
【００５７】
なお、別の処理方法として、まず受信データ記憶部４２１に記憶した後に、受信データ記憶部４２１に記憶された受信データ（受信信号）が信頼性があるか否かの判定処理をおこない、受信状況判定部４０７にて受信信号の「信頼性なし」の判定がなされていた場合には受信データ記憶部４２１に記憶されたデータを消去し、計時データ記憶部４２２へ置き換える処理をおこなわない。「信頼性あり」の判定がされる場合のみ計時データ記憶部４２２のデータを受信データ記憶部４２１の当該データに置き換えて、時刻（カレンダ）修正をおこなうように構成されているものであってもよい。
【００５８】
ここで受信状況判定部４０７は、長波の標準電波に含まれるている矩形パルス（「０」、「１」、「Ｐ」のコードが矩形パルスの幅にて定義付けられている矩形パルス）を受信部４０３から入力する。そして受信状況判定部４０７は、さらに受信部４０３からの信号の立ち上がりエッジを検出し、その検出間隔がカウントされ、そのカウント値にて受信信号の「信頼性あり」あるいは「信頼性なし」の判定がなされる。具体的には、このカウント値は本来１秒間隔であるはずのものであるが、受信環境（ノイズの強弱や有無など）によってこの１秒周期が不安定、すなわち受信信号の「信頼性なし」の場合に本来１秒周期であるはずのものが乱れる。
【００５９】
上記カウント値と所定の比較値（たとえば１秒±３２ｍｓ）との比較をたとえば１０秒間判定し、受信信号の「信頼性」を判定することで受信状況の判定をおこなう。受信状況の判定をおこなう方法は、他の方法であってもよい。たとえば、受信状況判定部４０７における時刻情報を含む標準電波の受信信号の「信頼性」の判断を、電界強度を検出しておこなうようにしてもよい。
【００６０】
そして、この操作にて受信信号が「信頼性あり」と判定できた場合には、演算制御部４０１において制御プログラム記憶部４１５に記憶されている所定のアルゴリズムに基づいて、取り込まれた受信データである時刻カレンダデータを受信データ記憶部４２１に格納する処理をおこなう。
【００６１】
受信した標準電波に基づいて時刻を修正する場合の一具体例としては、上記したように制御プログラム記憶部４１５のプログラムにて演算制御部４０１の制御に基づき、制御情報記憶部（ＲＡＭ）４１６の所定のデータを操作処理することによって時刻修正をおこなうソフト処理を採用するものであるが、たとえば、計時手段である計時データ記憶部４２２を、ＲＡＭではなく、たとえばフリップフロップとゲートを組み合わせたカウンタ手段にて構成するようにしてもよい。
【００６２】
つぎに、受信データが受信データ記憶部４２１に格納された後の処理について説明する。長波の標準電波に含まれる矩形パルス（「０」、「１」、「Ｐ」のコードの矩形パルスの幅にて定義付けられている矩形パルス）は１分間で１セットであり、１セットの受信データにて、時刻カレンダデータなどのデータを構成している。そこで、演算制御部４０１は、制御プログラム記憶部４１５に記憶されている所定のアルゴリズムに基づいて、受信信号の「信頼性あり」の判定後にさらに、受信信号の信頼性を確認するために、受信データを２セット取り込み、２つの時刻カレンダデータが１分差であるかを判定する。なお、この場合は受信データ記憶部４２１は受信データを２セット分を格納することのできる容量のメモリを備えている。
【００６３】
このように受信信号の「信頼性あり」の判定後にさらにデータの有効性を確認することは、たとえばノイズなどの影響により受信部４０３にて誤データ（本来「０」のはずが「１」など）が受信されたり、あるいは、受信回路４０５内部のノイズによってデータが変化している場合に有効である。
【００６４】
そして、判定後に「信頼性あり」と受信データ（受信信号）の有効性も含めた信頼性が判定された場合には、演算制御部４０１は、制御プログラム記憶部４１５に記憶されている所定のアルゴリズムに基づいて、計時データ記憶部４２２のデータを受信データ記憶部４２１のデータに置き換える処理をおこない、時刻カレンダデータを使用して時刻（カレンダ）修正をおこなう。また、受信信号の「信頼性なし」と判定された場合には、表示部４１３に「受信データに矛盾あり」の表示をおこなう所定のアルゴリズムを制御プログラム記憶部４１５に記憶しておくことで、受信に際しての操作者への警告情報を提供することができる。
【００６５】
そして、受信部４０３は、指定された周波数の時刻情報を含む標準電波を発信する局から標準電波を受信し、たとえば受信状況判定部４０７における受信信号の「信頼性あり」と、制御プログラム記憶部４１５に記憶されている所定のアルゴリズムに基づいて演算制御部４０１における「受信データを２セット取り込み、２つの時刻カレンダデータが１分差であるかを判定する」ことによる受信信号の「信頼性あり」との両方が確認されると、「受信が正常と判断された」こととなる。
【００６６】
その場合に計時データ記憶部４２２のデータを受信データ記憶部４２１の当該データに置き換えて時刻（カレンダ）修正をおこない現在の正確な時刻（カレンダ）情報を前記表示部４１３に表示するとともに、表示部４１３に「受信成功」の表示をおこなう。そして、同時に、上記受信動作の経過を受信局ごとに設けられている受信履歴記憶部４２４に記憶させる。なお、時刻情報を含む標準電波が正常に受信できたか否かの判断は、電界強度を検出して判断してもよい。
【００６７】
（地域データ記憶部４２７の内容）
つぎに、地域データ記憶部４２７の内容について説明する。図５は、この発明の一実施例にかかる電波修正時計の地域データ記憶部の内容の一例を示す説明図である。図５において、地域データ記憶部４２７に記憶されるシリアルな番号が付された各地域に関する情報（地域データ）は、「地域」、「ＵＴＣ時刻に対する時差値」、「受信局」、「受信開始時刻（１）」、「受信開始時刻（２）」、「受信開始時刻（３）」、・・・に関する項目などから構成される。
【００６８】
「地域」の項目には、世界における各地域（国名、都市名など）に関する情報を格納する。また、「ＵＴＣ時刻に対する時差値」の項目には、ＵＴＣ時刻に対する当該地域の時差値を格納する。具体的には、地域が『英国』の場合、「ＵＴＣ時刻に対する時差値」は『０』であり、地域が『日本』の場合、「ＵＴＣ時刻に対する時差値」は『＋９』である。
【００６９】
また「受信局」の項目には、受信局に関する情報（日本においては、『福島』または『九州』）を格納する。すなわち、同じ地域であっても、受信局が複数存在する場合は、受信局ごと地域データが格納される。受信局選択部４０８は、「受信局」の項目に格納された受信局に関する情報に基づいて、定時受信局記憶部４２６から各受信局の詳細な情報（標準電波の周波数など）を抽出し、受信局の選択処理をおこなう。
【００７０】
また、各「受信開始時刻」の項目には、受信の開始時刻に関する情報を格納する。受信開始時刻は、１日において複数回設定することができ、その場合に、「受信開始時刻（１）」、「受信開始時刻（２）」、「受信開始時刻（３）」、・・・のそれぞれに格納する。この場合、時刻の早い順に、（１）から格納する。したがって、受信開始時刻の追加、削除、変更があった場合は、その都度、格納場所が更新される。すなわち、「受信開始時刻（１）」、「受信開始時刻（２）」、「受信開始時刻（３）」にそれぞれ（１）＝『２：００』、（２）＝『３：００』、（３）＝『４：００』が格納されている場合に、『３：００』が削除され、『５：００』が追加された場合は、（１）＝『２：００』、（２）＝『４：００』、（３）＝『５：００』となる。
【００７１】
図６および図７は、この発明の一実施例にかかる電波修正時計の時刻修正の処理の手順を示すフローチャートである。図６のフローチャートにおいて、まず、時刻が変更されたか否かを判断する（ステップＳ６０１）。ここで、時刻が変更されていない場合（ステップＳ６０１：Ｎｏ）は、何もせずにステップＳ６０９へ移行する。
【００７２】
一方、時刻が変更された場合（ステップＳ６０１：Ｙｅｓ）は、変更された時間を算出する（ステップＳ６０２）。たとえば、時針が動かされた場合はその移動角によって、何時間分変更されたかを算出する。具体的には、時計回りに３０°移動された場合には１時間進められたと判断し、反時計回りに３０°移動された場合には、１時間遅らされたと判断する。また、分針が動かされた場合は、何回転したかによって何時間分変更されたかを算出するようにしてもよい。
【００７３】
つぎに、ステップＳ６０２において算出された時間に基づいて、計時データ記憶部４２２の計時データを更新する（ステップＳ６０３）。そして、地域データ記憶部４２７の「ＵＴＣ時刻に対する時差値」を抽出し（ステップＳ６０４）、該当する時差値が存在するか否かを判断する（ステップＳ６０５）。たとえば、日本時刻を計時していて、１時間遅らされた場合に、図５における日本の「ＵＴＣ時刻に対する時差値」は『＋９』であるから、１時間マイナスの『＋８』の地域が地域データ記憶部４２７に存在するか否かを判断する。
【００７４】
ここで、該当する地域が地域データ記憶部４２７に存在しない場合（ステップＳ６０５：Ｎｏ）は、時刻変更エラーであるから、その旨を通知し（ステップＳ６０６）、ステップＳ６０１へ戻る。一方、該当する地域が地域データ記憶部４２７に存在する場合（ステップＳ６０５：Ｙｅｓ）は、当該地域を特定する（ステップＳ６０７）。すなわち、上記例の場合に、図５におけるシリアル番号『３』、『４』および『５』のファイルの地域を、該当する所定地域として特定する。
【００７５】
つぎに、特定された地域が複数あるか否かを判断する（ステップＳ６０８）。地域が複数あるとは、ＵＴＣ時刻に対する時差値が同一の異なる地域（国）が存在する場合と、同一の地域（国）において複数の受信局が存在する場合の両方が含まれる。
【００７６】
ここで、地域（受信局）が複数ある場合（ステップＳ６０８：Ｙｅｓ）は、図７のステップＳ７０１へ移行する。一方、地域（受信局）が一つしかない場合（ステップＳ６０８：Ｎｏ）は、特定された地域にかかるデータの最初の受信開始時刻、すなわち「受信開始時刻（１）」の時刻データを抽出する（ステップＳ６０９）。特定された地域がシリアル番号『６』の『英国』の場合、「受信開始時刻（１）」＝「４：００」を抽出する。そして、抽出された受信開始時刻が、現在時刻（すなわち計時手段によって計時されている時刻）よりも後か否かを判断する（ステップＳ６１０）。
【００７７】
そして、抽出された受信開始時刻が現在時刻よりも先であれば（ステップＳ６１０：Ｎｏ）、すでに、受信開始時刻を経過してしまっているため、何もせずに、ステップＳ６１５へ移行する。一方、抽出された受信開始時刻が現在時刻よりも後であれば（ステップＳ６１０：Ｙｅｓ）、当該受信開始時刻になったか否かを判断する（ステップＳ６１１）。ここで、いまだ受信開始時刻になっていない場合（ステップＳ６１１：Ｎｏ）は、時刻が変更されたか否かを判断する（ステップＳ６１２）。ここで、時刻が変更されていなければ（ステップＳ６１２：Ｎｏ）、ステップＳ６１１へ戻り、時刻が変更されていれば（ステップＳ６１２：Ｙｅｓ）、ステップＳ６０２へ戻る。
【００７８】
そして、受信開始時刻になった場合（ステップＳ６１１：Ｙｅｓ）は、受信処理をおこない（ステップＳ６１３）、その後、受信が成功したか否かを判断する（ステップＳ６１４）。ここで、受信に成功した場合（ステップＳ６１４：Ｙｅｓ）は、計時時刻を修正した後、ステップＳ６０１へ戻る。一方、受信に失敗した場合（ステップＳ６１４：Ｎｏ）は、地域データ記憶部４２７の上記ファイル内に、つぎの受信開始時刻があるか（格納されているか）否かを判断する（ステップＳ６１５）。
【００７９】
ステップＳ６１５において、つぎの受信開始時刻がない場合（ステップＳ６１５：Ｎｏ）は、ステップＳ６０１へ戻る。一方、つぎの受信開始時刻がある場合（ステップＳ６１５：Ｙｅｓ）は、つぎの受信開始時刻を地域データ記憶部４２７から抽出し（ステップＳ６１６）、ステップＳ６１０へ戻り、以後、ステップＳ６１０〜Ｓ６１６を繰り返しおこなう。
【００８０】
また、ステップＳ６０８において、複数ある場合（ステップＳ６０８：Ｙｅｓ）は、図７のフローチャートにおいて、特定された複数の地域にかかるデータの最初の受信開始時刻、すなわち「受信開始時刻（１）」の時刻データのうち、もっとも早い時刻のデータをを抽出する（ステップＳ７０１）。たとえば、特定された地域がシリアル番号『３』、『４』、『５』の『中国』の場合、『３』の「受信開始時刻（１）」＝「３：００」、『４』の「受信開始時刻（１）」＝「２：００」、『５』の「受信開始時刻（１）」＝「５：００」なので、もっとも早い時刻（『４』の「受信開始時刻（１）」＝「２：００」）を抽出する。
【００８１】
つぎに、抽出された受信開始時刻が、現在時刻（すなわち計時手段によって計時されている時刻）よりも後か否かを判断する（ステップＳ７０２）。ここで、抽出された受信開始時刻が現在時刻よりも先であれば（ステップＳ７０２：Ｎｏ）、すでに、受信開始時刻を経過してしまっているため、ステップＳ７０９へ移行する。
【００８２】
一方、ステップＳ７０２において、抽出された受信開始時刻が現在時刻よりも後であれば（ステップＳ７０２：Ｙｅｓ）、当該受信開始時刻になったか否かを判断する（ステップＳ７０３）。ここで、いまだ受信開始時刻になっていない場合（ステップＳ７０３：Ｎｏ）は、時刻が変更されたか否かを判断する（ステップＳ７０４）。ここで、時刻が変更されていなければ（ステップＳ７０４：Ｎｏ）、ステップＳ７０３へ戻り、時刻が変更されていれば（ステップＳ７０４：Ｙｅｓ）、図６に示したステップＳ６０２へ戻る。
【００８３】
そして、受信開始時刻になった場合（ステップＳ７０３：Ｙｅｓ）は、つぎに、受信局を特定する（ステップＳ７０５）。ここで、同一の受信開始時刻が設定されている受信局が複数あるか否かを判断する（ステップＳ７０６）。具体的には、『中国』においては、受信開始時刻『３：００』には、『３』の『上海』の「受信開始時刻（１）」と、『４』の『北京』の「受信開始時刻（２）」の２つが存在することがわかる。
【００８４】
ここで、同一の受信開始時刻において受信局が一つのみ存在する場合（ステップＳ７０６：Ｎｏ）は、受信処理をおこない（ステップＳ７０７）、その後、受信が成功したか否かを判断する（ステップＳ７０８）。ここで、受信に成功した場合（ステップＳ７０８：Ｙｅｓ）は、計時時刻を修正した後、図６に示したステップＳ６０１へ戻る。一方、受信に失敗した場合（ステップＳ７０８：Ｎｏ）は、地域データ記憶部４２７の複数の上記ファイル内のいずれかに、つぎの受信開始時刻があるか（格納されているか）否かを判断する（ステップＳ７０９）。
【００８５】
ステップＳ７０９において、つぎの受信開始時刻がない場合（ステップＳ７０９：Ｎｏ）は、図６に示したステップＳ６０１へ戻る。一方、つぎの受信開始時刻がある場合（ステップＳ７０９：Ｙｅｓ）は、つぎの受信開始時刻のうち、もっとも早いものを地域データ記憶部４２７から抽出し（ステップＳ７１０）、ステップＳ７０２へ戻り、以後、ステップＳ７０２〜Ｓ７１０を繰り返しおこなう。
【００８６】
一方、ステップＳ７０６において、同一の受信開始時刻において受信局が複数存在する場合（ステップＳ７０６：Ｙｅｓ）は、複数存在する受信局のうちのいずれか（たとえば、シリアル番号の順序）の受信局に対して受信処理をおこない（ステップＳ７１１）、受信が成功したか否かを判断する（ステップＳ７１２）。ここで、受信に成功した場合（ステップＳ７１２：Ｙｅｓ）は、計時時刻を修正した後、図６に示したステップＳ６０１へ戻る。
【００８７】
一方、受信に失敗した場合（ステップＳ７１２：Ｎｏ）は、受信に失敗した受信局が、複数存在する受信局のうちの最後の受信局か否かを判断する（ステップＳ７１３）。ここで、最後の受信局である場合（ステップＳ７１３：Ｙｅｓ）は、ステップＳ７０９へ移行する。最後の受信局でない場合（ステップＳ７１３：Ｎｏ）は、複数存在する受信局にかかるファイルのうちのつぎの受信局に対して受信処理をおこない（ステップＳ７１４）、ステップＳ７１２へ戻る。
【００８８】
このようにして、時刻の変更から、地域の特定、受信開始時刻の決定、受信処理および時刻の修正処理という一連の処理をおこなうことができる。
【００８９】
また、図８は、この発明の一実施例にかかる電波修正時計の時刻修正の別の処理の手順を示すフローチャートである。図８のフローチャートにおいて、まず、地域の入力があったか否かを判断する（ステップＳ８０１）。ここで、地域の入力がなされていない場合（ステップＳ８０１：Ｎｏ）は、何もせずに図６に示したステップＳ６０９へ移行する。
【００９０】
一方、地域の入力があった場合（ステップＳ８０１：Ｙｅｓ）は、地域データ記憶部４２７の「ＵＴＣ時刻に対する時差値」を抽出し（ステップＳ８０２）、抽出された時差値に基づいて変更すべき時間を算出する（ステップＳ８０３）。たとえば、『日本』の時刻を表示してる場合に、地域『米国（１）』（ニューヨークなどを含む米国の第１領域）の入力があると、日本の「ＵＴＣ時刻に対する時差値」が『＋９』であるのに対し、米国（１）の「ＵＴＣ時刻に対する時差値」が『−５』であるので、＋９−（−５）＝＋１４となり、変更すべき時間は「＋１４」であると算出することができる。
【００９１】
計時データ記憶部４２２のデータを「＋１４」になるように更新し（ステップＳ８０４）、その後、図６に示したステップＳ６０８へ移行する。以後は、図６および図７において説明したとおりであるので、詳細な説明は省略する。
【００９２】
（表示部の表示内容の一例）
つぎに、表示部４１３の表示内容の一例について説明する。図９は、この発明の一実施例にかかる電波修正時計の表示部の表示内容の一例を示す説明図である。図９はアナログ時計を示しており、９１１が時針であり、９１２が分針であり、９１３が秒針であり、９１４は日付表示部である。図示を省略するボタンを押下することによって、所定地域情報入力モードに切り替わり、現在時刻を示していた秒針９１３が通常の回転速度（１回転／分）よりも高速で回転し、現在時刻とは無関係に現在地の地域名が記載された位置を指し示す。図９においては、『ＪＰＮ』９０１を指し示していることがわかり、現在地が日本であり、日本の受信局からの標準電波を受信できるようになっている。
【００９３】
いずれかの領域を指し示した秒針９１３は、所定秒経過後には、所定地域情報入力モードを解除し、再度、現在地の時刻の秒を示すようになる。なお、ボタンを押下しなくても、いずれかの領域を指し示すような、秒針９１３とは別の針（図示省略）を設けて、常に現在地が確認できるようにしてもよい。
【００９４】
そのほか、地域名は、『ＣＨＩＮＡ（中国）』９０２、『ＥＵ（欧州）』９０３、『ＵＫ（英国）』９０４、『ＮＹ（ニューヨーク、米国第１領域）』９０５、『ＣＨＩ（シカゴ、米国第２領域）』９０６、『ＣＯＬ（コロラド、米国第３領域）』９０７、『ＬＯＳ（ロサンゼルス、米国第４領域）』９０８など主要の地域について記載されている。ただし、これに限定されるものではなく、標準電波を受信できる地域名を適宜記載するようにすればよい。
【００９５】
図１０において、所定地域情報入力モード、すなわち秒針９１３が『ＪＰＮ』９０１を指し示している状態の（１００１）において、図示を省略する所定のボタンの押下あるいは所定の竜頭の回転操作によって、秒針９１３が回転し、いずれかの地域名が記載された位置で停止する。１００２では、『ＣＨＩＮＡ（中国）』９０２の表示位置で停止している。そして、他の所定のボタンを押下することによって、所定地域（中国）の入力指示が完了する。
【００９６】
つぎに、１００３において、中国の現在地時刻に変更し、時針９１１が「１０」から「９」へ移動し、現在地時刻を表示するとともに、受信開始時刻も決定する。ここで、決定された受信開始時刻について、時針９１１と分針９１２を用いて表示できるようにしてもよい。このようにして、地域の変更処理を完了することができる。
【００９７】
図１１において、図１０の１００１と同様に所定地域情報入力モード、すなわち秒針９１３が『ＪＰＮ』９０１を指し示している状態の（１１０１）において、時針９１１あるいは分針９１２を回転させることによって、表示時刻を変更する。１１０２では、「１０」から「９」へ移動させるような変更指示をすることによって、所定時刻への変更指示が完了する。
【００９８】
つぎに、１１０３において、所定地域として「中国」を特定し、それにともなって、秒針９１３が、『ＪＰＮ』９０１から『ＣＨＩＮＡ』９０２へ移動し、これによって、中国の受信局によって受信できる状態であることを確認することができる。その後、秒針９１３は、所定秒経過後には所定地域情報入力モードを解除し、再度、現在地の時刻（すなわち、中国の時刻）の秒を示すようになる。
【００９９】
図１２は、この発明の一実施例にかかる電波修正時計の表示部の表示内容の別の一例を示す説明図であり、ディジタル表示画面１２１１（たとえば液晶画面）を備えた表示部４１３を示している。図１２において、１２０１ではディジタル表示画面１２１１の表示が『ＪＰＮ』となっており、これは現在地が日本であることを示している。また、時針９１１、分針９１２および日付表示部９１４によって、日本における現在時刻である「１９日午前１０時１０分」を示している。ここで、１２０２では、ディジタル表示画面１２１１の表示を『ＮＹ』（ニューヨーク）に変更した状態を示している。
【０１００】
つぎに、１２０３において、ニューヨークの現在地時刻を算出し、時針９１１を「１０」から「８」に移動するとともに、日付表示部９１４の表示『１９』を『１８』に変更する。日付表示部９１４の表示の変更は、日付表示部９１４が独自でおこなってもよく、また、時針９１１を回転させることによっておこなってもよい。これによって、ニューヨークの現在地時刻である「１８日午後８時１０分」を示す。また、ディジタル表示画面１２１１の表示が『ＮＹ』となっていることで、米国第１領域の受信局によって受信できる状態であることを容易に確認することができる。
【０１０１】
以上説明したように、本実施の形態によれば、時刻変更部１０１が、所定地域の時刻への変更指示を受け付け、時刻を変更し、受信時刻決定部１０２が、時刻変更部１０１によって変更された時刻に基づいて（より具体的には、所定地域特定部１１１が、時刻変更部１０１によって変更された時刻に基づいて、所定地域を特定し、所定地域特定部１１１によって特定された所定地域の情報に基づいて）、所定地域における標準電波の受信時刻を決定し、標準電波受信部１０３が、受信時刻決定部１０２によって決定された受信時刻に標準電波を受信し、時刻修正部１０４が、標準電波受信部１０３によって受信された標準電波にかかる標準時刻情報信号に基づいて、時刻を修正するため、所定の地域の時刻に表示時刻を合わせるといった、操作者による簡易な操作によって、各地域における標準電波を適切に定時受信し、時刻を修正することが可能となる。
【０１０２】
また、計時部１０５が、時刻変更部１０１によって変更された時刻を、所定地域における現地時刻として自動的に計時するようにしたため、計時部１０５によって計時される時刻を修正する必要がない。
【０１０３】
また、本実施の形態によれば、計時部１０５が、現地時刻またはＵＴＣ時刻を計時し、所定地域情報入力部１０９が、所定地域に関する情報の入力を受け付け、受信時刻決定部１０２が、所定地域情報入力部１０９によって入力された所定地域に関する情報と、計時部１０５によって計時された時刻とに基づいて（より具体的には、現地時刻算出部１１２が、計時部１０５によって計時された時刻に基づいて、所定地域情報入力部１０９によって入力された所定地域における現地時刻を算出し、現地時刻算出部１１２によって算出された時刻に基づいて）、所定地域における標準電波の受信時刻を決定し、標準電波受信部１０３が、受信時刻決定部１０２によって決定された受信時刻に標準電波を受信し、時刻修正部１０４が、標準電波受信部１０３によって受信された標準電波にかかる標準時刻情報信号に基づいて、時刻を修正するため、所定の地域に関する情報を入力するといった、操作者による簡易な操作によって、各地域における標準電波を適切に定時受信し、時刻を修正することが可能となる。
【０１０４】
また、時刻変更部１０１が、現地時刻算出部１１２によって算出された現地時刻に基づいて計時時刻を変更し、表示部１０６が、時刻変更部１０１によって変更された計時時刻を表示するため、操作者は、表示時刻の変更操作をする必要がない。また、計時部１０５が、現地時刻算出部１１２によって算出された現地時刻を自動的に計時するようにしたため、計時部１０５によって計時される時刻を修正する必要がない。
【０１０５】
また、受信時刻記憶部１０７が、所定地域における標準電波の受信時刻に関する情報を記憶し、受信時刻決定部１０２が、受信時刻記憶部１０７に記憶された情報に基づいて、所定地域における標準電波の受信時刻を決定するため、操作者は各地域ごとにそれぞれ標準電波の受信時刻を入力する必要がない。また、変更部１０８が、受信時刻記憶部１０７に記憶された情報を変更、追加または削除するため、標準電波の発信状況や操作者の使用の状況などによって、受信時刻を自由に設定することができる。
【０１０６】
なお、上記実施の形態においては、電波修正時計について説明したが、この電波修正時計は、アナログ時計、ディジタル時計のいずれであってもよく、また、腕時計、掛け時計、置き時計などすべての種類の時計が含まれる。また、本発明は、電波修正時計に限定されるものではなく、電波修正時計を内蔵した、カメラ、ディジタルカメラ、ディジタルビデオカメラ、ゲーム機器、携帯電話機、ＰＤＡ（Ｐｅｒｓｏｎａｌ  Ｄｉｇｉｔａｌ  Ａｓｓｉｓｔａｎｔ）、ノート型パーソナルコンピュータなどの携帯可能な情報端末装置、さらには、家電や自動車を含む電子機器であってもよい。
【産業上の利用可能性】
【０１０７】
以上のように、本発明にかかる電波修正時計、電子機器および時刻修正方法は、標準時刻情報信号を含む標準電波を受信し、受信した標準電波にかかる標準時刻情報信号に基づいて、時刻を修正する時計、電子機器などに用いるのに適している。
【図面の簡単な説明】
【０１０８】
【図１】この発明の本実施の形態にかかる電波修正時計の機能的構成を示す説明図である。
【図２】この発明の本実施の形態にかかる時刻修正方法の処理の手順を示すフローチャートである。
【図３】この発明の本実施の形態にかかる時刻修正方法の別の処理の手順を示すフローチャートである。
【図４】この発明の一実施例にかかる電波修正時計のハードウエア構成を示すブロック図である。
【図５】この発明の一実施例にかかる電波修正時計の地域データ記憶部の内容の一例を示す説明図である。
【図６】この発明の一実施例にかかる電波修正時計の時刻修正の処理の手順を示すフローチャートである。
【図７】この発明の一実施例にかかる電波修正時計の時刻修正の処理の手順を示すフローチャートである。
【図８】この発明の一実施例にかかる電波修正時計の時刻修正の処理の手順を示すフローチャートである。
【図９】この発明の一実施例にかかる電波修正時計の表示部の表示内容の一例を示す説明図である。
【図１０】この発明の一実施例にかかる電波修正時計の表示部の表示内容の変化の一例を示す説明図である。
【図１１】この発明の一実施例にかかる電波修正時計の表示部の表示内容の変化の別の一例を示す説明図である。
【図１２】この発明の一実施例にかかる電波修正時計の表示部の表示内容の変化の別の一例を示す説明図である。
【符号の説明】
【０１０９】
１０１  時刻変更部
１０２  受信時刻決定部
１０３  標準電波受信部
１０４  時刻修正部
１０５  計時部
１０６  表示部
１０７  受信時刻記憶部
１０８  変更部
１０９  所定地域情報入力部
１１１  所定地域特定部
１１２  現地時刻算出部
４００  電波修正時計
４０１  演算制御部
４０２  アンテナ
４０３  受信部
４０６  コード判定部
４０７  受信状況判定部
４０８  受信局選択部
４０９  駆動部
４１０  基準信号発生部
４１１  カウンタ部
４１２  表示駆動部
４１３  表示部
４１４  外部入力部
４１５  制御プログラム記憶部（ＲＯＭ）
４１６  制御情報記憶部（ＲＡＭ）
４２１  受信データ記憶部
４２２  計時データ記憶部
４２３  受信状況記憶部
４２４  受信履歴記憶部
４２５  強制受信局記憶部
４２６  定時受信局記憶部
４２７  地域データ記憶部
９１１  時針
９１２  分針
９１３  秒針
９１４  日付表示部
１２１１  ディジタル表示画面
【図１】
2006038800.tif 000003
【図２】
2006038800.tif 000004
【図３】
2006038800.tif 000005
【図４】
2006038800.tif 000006
【図５】
2006038800.tif 000007
【図６】
2006038800.tif 000008
【図７】
2006038800.tif 000009
【図８】
2006038800.tif 000010
【図９】
2006038800.tif 000011
【図１０】
2006038800.tif 000012
【図１１】
2006038800.tif 000013
【図１２】
2006038800.tif 000014